(57)【要約】【課題】便器の洗浄回数を制限する機能を有した便器洗浄装置を提供する。【解決手段】トイレルーム内の人体を検知する人体検知手段９と、便器に洗浄水を供給する洗浄弁７と、便器洗浄スイッチ１１と、該人体検知手段９及び便器洗浄スイッチ１１からの信号に基いて該洗浄弁を制御する制御手段８とを有する便器洗浄装置において、該制御手段８は、人体検知手段９が人体の着座を検知している間の洗浄回数をカウントし、この回数が所定回数に到達したときには、それ以降に洗浄スイッチ１１が操作されても洗浄弁７を開弁させないように構成されている。洗浄回数が所定回数に到達したときには、その旨のアナウンス又は表示を行う。【選択図】図３
2011241646.tif 000002
【特許請求の範囲】
【請求項１】
トイレルーム内の人体を検知する人体検知手段と、便器に洗浄水を供給する洗浄弁と、便器洗浄スイッチと、該人体検知手段及び便器洗浄スイッチからの信号に基いて該洗浄弁を制御する制御手段とを有する便器洗浄装置において、該制御手段は、人体検知手段が人体を検知している間の洗浄回数を所定回数以下に制限するように構成されていることを特徴とする便器洗浄装置。
【請求項２】
請求項１において、前記人体検知は、便器前の人体検知と着座検知との少なくとも一方であることを特徴とする便器洗浄装置。
【請求項３】
請求項１又は２において、前記所定回数は３〜２０回の間から選択された回数であることを特徴とする便器洗浄装置。
【請求項４】
請求項１ないし３のいずれか１項において、前記制御手段は、人体検知手段が人体を検知してから人体不検知となるまでの間における洗浄スイッチの操作回数をカウントし、この回数が前記所定回数を超えたときには洗浄スイッチが操作されても洗浄弁を開弁させないように構成されていることを特徴とする便器洗浄装置。
【請求項５】
請求項１ないし４のいずれか１項において、前記洗浄スイッチの操作部は、リモコン及び便座ボックスの双方に備えられており、いずれの操作部を操作しても洗浄回数として通算することを特徴とする便器洗浄装置。
【発明の詳細な説明】
【技術分野】
【０００１】
本発明は、便器に洗浄水を供給して洗浄するための便器洗浄装置に係り、特に洗浄回数を制限する機能を備えた便器洗浄装置に関する。
【背景技術】
【０００２】
洋風便器設備に設けられたスイッチを操作して便器の便鉢に洗浄水を供給するよう構成した便器洗浄装置において、洗浄スイッチが悪戯等によって多数回操作されると洗浄水が無駄に流れることになる。特にロータンク（シスターン）ではなく水道水を弁によって直接的に便器に供給するようにしたいわゆる水道直結型便器においては、スイッチ操作によって洗浄が多数回行われるおそれがある。
【０００３】
特開平２−２４８５４１には、リモコンの洗浄スイッチを操作して洗浄水を流すと、その後、しばらく（禁止時間帯）は洗浄スイッチを操作しても洗浄動作が行われないよう構成することが記載されている。しかしながら、この場合、禁止時間帯が経過すると再び洗浄が可能になるので、悪戯等によって繰り返し洗浄水が流れることを防止することはできない。
【先行技術文献】
【特許文献】
【０００４】
【特許文献１】特開平２−２４８５４１号公報
【発明の概要】
【発明が解決しようとする課題】
【０００５】
本発明は、便器の洗浄回数を制限する機能を有した便器洗浄装置を提供することを目的とする。
【課題を解決するための手段】
【０００６】
本発明（請求項１）の便器洗浄装置は、トイレルーム内の人体を検知する人体検知手段と、便器に洗浄水を供給する洗浄弁と、便器洗浄スイッチと、該人体検知手段及び便器洗浄スイッチからの信号に基いて該洗浄弁を制御する制御手段とを有する便器洗浄装置において、該制御手段は、人体検知手段が人体を検知している間の洗浄回数を所定回数以下に制限するように構成されていることを特徴とする。
【０００７】
請求項２の便器洗浄装置は、請求項１において、前記人体検知は、便器前の人体検知と着座検知との少なくとも一方であることを特徴とする。
【０００８】
請求項３の便器洗浄装置は、請求項１又は２において、前記所定回数は３〜２０回の間から選択された回数であることを特徴とする。
【０００９】
請求項４の便器洗浄装置は、請求項１ないし３のいずれか１項において、前記制御手段は、人体検知手段が人体を検知してから人体不検知となるまでの間における洗浄スイッチの操作回数をカウントし、この回数が前記所定回数を超えたときには洗浄スイッチが操作されても洗浄弁を開弁させないように構成されていることを特徴とする。
【００１０】
請求項５の便器洗浄装置は、請求項１ないし４のいずれか１項において、前記洗浄スイッチの操作部は、リモコン及び便座ボックスの双方に備えられており、いずれの操作部を操作しても洗浄回数として通算することを特徴とする。
【発明の効果】
【００１１】
本発明の便器洗浄装置では、人体が検知され続ける場合、便器洗浄回数が所定回数に制限されるので、所定回数よりも多数回便器洗浄が行われることが防止される。
【図面の簡単な説明】
【００１２】
【図１】実施の形態に係る便器洗浄装置を備えたトイレルームの側面図である。
【図２】実施の形態に係る便器洗浄装置のブロック図である。
【図３】実施の形態に係る便器洗浄装置のフローチャートである。
【発明を実施するための形態】
【００１３】
以下、図面を参照して実施の形態について説明する。
【００１４】
第１図の通り、トイレルーム内に洋風便器１が設置され、その後部上面に便座ボックス２が設置され、便座３及び便蓋４が起倒回動可能に取り付けられている。
【００１５】
トイレルームの壁の給水配管（図示略）に接続された配管６に便器洗浄弁（以下、洗浄弁と略称する。）７が設けられ、便器１の便鉢及び必要に応じトラップ部に対し洗浄水が供給可能とされている。便座ボックス２には、便器１の前に立っている人体を検知する人体検知センサ５（第２図参照。以下、人体センサ５と略称する。）と、この洗浄弁７を制御するための制御回路８と着座センサ９が設置されている。第２図の通り、この制御回路８には、人体センサ５からの人体検知信号及び着座センサ９からの着座信号のほか、リモコン１０からの洗浄スイッチ１１の信号、洗浄回数制限モード設定スイッチ１２の信号が入力される。この制御回路８は、洗浄回数が所定回数に達したこと等を使用者に報知するための報知手段１５に信号を出力して作動させる。この実施の形態では、この報知手段１５として、便座ボックス２にスピーカ１５を設けている。
【００１６】
リモコン１０には、便器洗浄スイッチ１１、洗浄回数制限モード設定スイッチ１２のほか、人体臀部を温水で洗浄するためのシャワースイッチ、暖房便座スイッチなど種々のスイッチと、信号送信回路とが設けられている。
【００１７】
この制御回路８は、便座３に着座した状態で洗浄スイッチ１１が操作されると洗浄弁７を開弁させて便器洗浄を行うが、着座したまま洗浄スイッチ１１を操作する回数が所定回数に達すると、それ以上は着座したまま洗浄スイッチ１１を操作しても洗浄弁７を開弁させないように構成されている。この所定回数は３〜２０回特に３〜６回の間から選択された回数であることが好ましい。これは、悪戯でなく、使用後の便器掃除等も含んだ通常使用範囲と考えられる回数である。リモコン１０又は便座ボックス２には、この所定回数を設定するための設定スイッチを設けておくか、又は特定の複数のスイッチを同時操作することにより、上記所定回数（洗浄許容回数）を設定するよう構成しておく。洗浄許容回数設定スイッチのように使用頻度の低いスイッチについては、リモコンのカバー部で覆われる位置に設置しておき、カバー部をあけて洗浄許容回数の設定操作を行うよう構成するのが好ましい。
【００１８】
この制御回路８に搭載されたマイクロコンピュータの洗浄弁制御プログラムに基づく制御フローについて、第３図を参照して説明する。なお、このフローでは、洗浄は連続して（即ち、１回の着座当り又は１回の継続した人体（便器前に存在する人体）の検知当り）４回まで許容されるものとしている（後述の定数ｋ＝４）。
【００１９】
［Ｉ．着座状態での洗浄回数制限］
第３図において、初期状態では洗浄回数メモリＮにゼロが設定される（ステップ（１ａ））。人がトイレルームに入室して便器１に近づくまでは、ステップ１ａ，１ｂ，１ｃを循環する。この人体が便器１に近づき、人体センサ５で検知されると、ステップ１ｂからステップ２に進み、リモコン１０の洗浄回数制限モード設定スイッチ１２で洗浄回数制限モードが設定されているか判断する。この洗浄回数制限モードが設定されている場合には、ステップ２からステップ３に進み洗浄スイッチ１１が操作されるか判断する。洗浄スイッチ１１が操作されるまでは、ステップ１ｂ，２，３を循環する。この人体が便座３に着座すると、人体センサ５が人体不検知、着座センサ９が着座検知となるので、洗浄スイッチ１１が操作されるまでは、ステップ１ｂ，１ｃ，２，３を循環する。
【００２０】
着座検知状態において洗浄スイッチ１１が操作されると、ステップ３からステップ４に進み、洗浄回数が所定回数ｋ（４回）以下であるか判断する。この場合は、第１回目の洗浄であり、Ｎ＝０と設定されているので、ステップ５，６に進み、洗浄弁７を所定時間（例えば１０〜３０秒程度）開弁して便器洗浄した後、洗浄弁７を閉弁し（ステップ７）、次いでメモリＮに１を足し（ステップ８）、Ｎが所定回数ｋ以下であるか判断する（ステップ９）。この場合は、Ｎ＝１であり、Ｎ≦ｋであるので、ステップ１０に進み、着座が検知されるか判断する。便器１の前方に人体がいるか判断し、人体がいるときにはステップ１ｂに戻り、いないときにはステップ１ａに戻る。人体が便座３に着座し続けていれば、ステップ１０から直ちにステップ２に戻る。
【００２１】
ステップ１０からステップ２に戻った後、便座３に着座した人が立ち上がることなくもう１回洗浄スイッチ１１を押した場合には、洗浄弁７が所定時間開弁して第２回目の便器洗浄が行われ（ステップ３〜７）、メモリＮに２が設定される（ステップ８）。
【００２２】
この人が着座したまま洗浄スイッチ１１をさらに押した場合には、４回目までは同様に便器洗浄が行われる。なお、４回目の洗浄では、ステップ８でメモリＮに５が設定されるので、ステップ９からステップ１９に進み、「これ以上の便器洗浄はできません。便器洗浄する場合は、いったん外に出て下さい。」のアナウンスが報知手段（スピーカ）１５から発せられた後、ステップ１０からステップ２に戻る。それでもなお着座を継続したまま洗浄スイッチ１１を操作した場合には、ステップ４においてＮ＝５，ｋ＝４であり、Ｎ＞ｋであるので、ステップ４からステップ１６に進み、「４回洗浄したのでこれ以上の便器洗浄はできません。便器洗浄する場合は、いったん外に出て下さい。」のアナウンスが報知手段（スピーカ）１５から発せられる。次いで、ステップ１６からステップ１ｂに戻る。その後、着座を継続したまま何回洗浄スイッチ１１を押しても、ステップ１ｂ，１ｃ，２，３，４，１６を循環し、便器洗浄は行われない。人が便座３から立ち上がり、トイレルーム外に出ると、ステップ１１からステップ１ａに進み、Ｎ＝０とした後、ステップ１ｂに戻り、前記と同様の制御が行われる。従って、４回洗浄した場合は、トイレルーム外に出るなど、人体検知センサ５の検知領域外に移動しない限りはそれ以上便器洗浄はできない。トイレルームに再入室すれば再度４回まで便器洗浄することが可能となる。
【００２３】
［II．人体の起立状態での洗浄回数制限］
上記の説明は、便器に近づいた人体が着座した後、洗浄スイッチ１１を操作する場合の制御例である。トイレルームに入室した人体が着座することなく洗浄スイッチ１１を操作した場合にも同様の制御が行なわれる。
【００２４】
即ち、洗浄回数制限モードを設定した状態で、便器１に近づいた人体が人体検知センサ５で検知された後、着座することなく洗浄スイッチ１１を操作した場合には、ステップ１ｂ，２，３の循環途中でステップ３からステップ４に進み、以下、前記の場合と同様にステップ１０まで進む。この場合、着座していないので、ステップ１１に進み、便器前に人体が検知されるときにはステップ１１からステップ１ｂに戻る。そして、第４回目までの洗浄スイッチ操作の場合は便器洗浄を行い、第５回目以降の洗浄スイッチ操作の場合は洗浄を行わず、ステップ１６で報知を行う。第４回目の洗浄スイッチ操作がなされたときには、ステップ１９で報知を行う。
【００２５】
［III．人体が起立して洗浄する場合と着座して洗浄する場合の通算洗浄回数の制限］
第３図のフローでは、人体が起立して行う洗浄スイッチ操作と、着座して行う洗浄スイッチ操作とは通算（累計）され、通算の洗浄回数が４回になったときにステップ１９において報知がなされ、５回目以降の洗浄スイッチ操作のときには便器洗浄されず、ステップ１６で報知がなされる。
【００２６】
即ち、便器前に起立した人体によって、洗浄スイッチ操作がなされた後、人体が着座した場合には、ステップ１０から直ちにステップ２に戻るが、洗浄回数メモリＮには、通算の洗浄回数が記憶されている。また、逆に、着座して洗浄スイッチ操作した後、起立して洗浄スイッチ操作した場合も、ステップ１１からステップ１ｂに戻るが、洗浄回数メモリＮには通算の洗浄回数が記憶されている。従って、着座した状態でのスイッチ操作と起立した状態でのスイッチ操作とを行ったとしても、合計の洗浄回数は４回に限定される。
【００２７】
［洗浄回数制限モードの解除］
上記の洗浄回数制限モードは設定スイッチ１２をもう１回押すと解除される。洗浄回数制限モードを解除した状態にあっては、ステップ２からステップ１２に進み、洗浄スイッチが操作されるまでステップ１ｂ〜１２を循環する。洗浄スイッチ１１が操作されると、ステップ１２からステップ１３，１４，１５を実行し、所定時間洗浄弁７を開弁させ、便器洗浄を行った後、ステップ１ｂに戻る。この場合は、何回でも便器洗浄が行われる。なお、便器前人体検知状態又は着座状態で洗浄回数制限モードが解除された場合は、この解除信号を受信した時点でＮ＝０とする。
【００２８】
［別の実施の形態］
上記実施の形態は本発明の一例であり、本発明は例えば次の（１）〜（８）のように別の態様とされてもよい。
【００２９】
（１）  上記ステップ１６又は１９のアナウンスを行わない設定としてもよい。また、このアナウンスを行う設定と、行わない設定とを切り替えることができるスイッチを設けてもよい。この設定切替は、特定の複数のスイッチを同時に操作することにより実行されるようにしてもよい。
（２）  上記第３図の実施の形態において、ステップ１において着座が検知されたとき又はステップ３において洗浄スイッチ３が操作されたときに、「洗浄回数制限モードが設定されています。」のアナウンスを行うようにしてもよい。また、このアナウンスを行う設定と、行わない設定とを切り替えることができるスイッチを設けてもよい。この設定切替は、特定の複数のスイッチを同時に操作することにより実行されるようにしてもよい。
（３）  音声によるアナウンスの代わりにピピピピ、ブーなどの信号音を発生させてもよい。
（４）  アナウンスや信号音の代わりに、ＬＥＤ等のランプを点灯又は点滅させる等の視覚的な報知を行ってもよい。また、便座にバイブレータを設けておき、振動によって使用者に報知を行ってもよい。
（５）  操作部は、リモコン１０ではなく便座ボックス２側に設けてもよく、リモコン１０と便座ボックス２との双方に設けてもよい。リモコン１０と便座ボックス２との双方に操作部を設けた場合、双方の洗浄スイッチのいずれを操作しても便器洗浄が行われるので、当然ながらいずれの洗浄スイッチによる洗浄であっても洗浄回数として累計し、この洗浄回数に基いて回数制限や報知を行う。
（６）  あと何回洗浄できるかを示す表示又は音声による報知を行ってもよい。例えばリモコンに設けた液晶表示部にこの洗浄可能回数表示を行う。
（７）  前回の洗浄スイッチ操作から次回の洗浄スイッチ操作までの時間を計測し、この時間が規定時間よりも短い場合には洗浄弁７を開弁させないようにしてもよい。この場合、前回の洗浄スイッチ操作から次回の洗浄スイッチ操作までの時間が短すぎるので洗浄を行わない旨のアナウンスや、信号音、表示等を行うようにしてもよい。
【符号の説明】
【００３０】
１  便器
２  便座ボックス
５  人体検知センサ
７  洗浄弁
８  制御回路
９  着座センサ
１０  リモコン
１１  洗浄スイッチ
１２  洗浄回数制限モード設定スイッチ
１５  報知手段
【図１】
2011241646.tif 000003
【図２】
2011241646.tif 000004
【図３】
2011241646.tif 000005